(57)【要約】【課題】ドアガラスのがたつきをより確実に抑制することのできるガラスランを提供する。【解決手段】ガラスラン１は、ガラス開口部に沿って設けられたチャンネル部ＤＣに嵌込まれる基底部１４及び基底部１４から延びる車外側側壁部１５及び車内側側壁部１６よりなる本体部１１と、両側壁部１５、１６の先端部から本体部１１内側に向けて延びる車外側シールリップ１２及び車内側シールリップ１３とを備える。ガラスラン１の縦辺部を構成する部位（押出成形部３）の車内側側壁部１６には、本体部１１の内側に向けてガラス開口部内周側に傾斜して直線状に延び、先端部において車内側シールリップ１３の裏面と接触可能に設けられたサブリップ３１が設けられている。該サブリップ３１は発泡材により構成され、押出成形により車内側側壁部１６と同時形成される。【選択図】      図２
2007296899.tif 000002
【特許請求の範囲】
【請求項１】
基底部及び該基底部から延びる車内側側壁部及び車外側側壁部よりなり断面略コ字状をなす本体部と、前記両側壁部の略先端から前記本体部内側に延びる車内側シールリップ及び車外側シールリップとを有し、
前記本体部が、車両のガラス開口部に沿って設けられた取付部の内周に取着されてなるガラスランであって、
少なくともドアガラスの縦辺部に対応する部位の前記車内側側壁部には、前記本体部の内側に向けて前記ガラス開口部内周側に傾斜して直線状に延び、先端部において前記車内側シールリップのドアガラス摺接面とは反対側の面と接触可能に設けられたサブリップが設けられ、
前記サブリップは発泡材により構成され、押出成形により前記車内側側壁部と同時形成されることを特徴とするガラスラン。
【請求項２】
前記車内側側壁部は、ソリッド材又は微発泡材により構成されることを特徴とする請求項１に記載のガラスラン。
【請求項３】
前記車内側側壁部をオレフィン系熱可塑性エラストマーにより構成し、かつ、前記サブリップを動的架橋型のオレフィン系熱可塑性エラストマーにより構成するか、
又は、
前記車内側側壁部及び前記サブリップをオレフィン系ゴムにより構成することを特徴とする請求項１又は２に記載のガラスラン。
【発明の詳細な説明】
【技術分野】
【０００１】
本発明は、ガラスランに関するものである。
【背景技術】
【０００２】
一般に、自動車のガラス開口部周縁にはガラスランが設けられている。ガラスランは、ほぼ直線状（長尺状）に成形された押出成形部と、押出成形部同士を所定の角度をなした状態で接続する型成形部とから構成されており、例えばガラス開口部の形状に沿って前縦辺部、上辺部及び後縦辺部からなる。また、ガラスランは、その断面方向から見ると、基底部及び該基底部からガラス開口部内周方向に延びる車内側側壁部及び車外側側壁部よりなる略コ字状の本体部と、前記両側壁部の略先端から本体部内側に延びる車内側シールリップ及び車外側シールリップとを有する。上記ガラスランは、本体部がガラス開口部に沿って設けられた取付部（チャンネル部）の内周に取着され、ドアガラスの車内側及び車外側が前記一対のシールリップによりシールされる。
【０００３】
なお、ガラスランを構成する素材としては、エチレン−α−オレフィン非共役ジエン共重合体（ＥＰＤＭ）や、オレフィン系熱可塑性エラストマー（ＴＰＯ）等が知られている。
【０００４】
ところで、ドアガラスが昇降する際等に、該ドアガラスが車幅方向に振動してがたつくことがある。これに対し、車内側側壁部から本体部の内側に向けて延びるサブリップを設け、ドアガラスが車内側に大きく変位したときにサブリップが車内側シールリップのドアガラス摺接面とは反対側の面（裏面）と接触するよう構成することで、ドアガラスのがたつきを抑制するといった技術がある（例えば、特許文献１参照。）。
【特許文献１】特開２０００−３３８２２号公報
【発明の開示】
【発明が解決しようとする課題】
【０００５】
しかしながら、上記特許文献１のようにサブリップを設けた場合、該サブリップが車内側シールリップを介してドアガラスから比較的大きな応力を受け、車内側に大きく撓んだ場合に永久変形してしまうおそれがある。つまり、ドアガラスからの応力が除かれた後においても、該サブリップが完全には元の形状に戻らなくなってしまうおそれがある。この場合、ドアガラスに押されて車内側に撓む車内側シールリップをサブリップで支持するといった作用効果が十分に奏されなくなってしまうことが懸念される。
【０００６】
しかも、車内側シールリップの裏面のうちサブリップ（サブリップの先端部）との接触部位が該車内側シールリップの根元部側に設定されており、サブリップは、車内側シールリップに対して正規の位置に戻るための反力を効果的に与えるといったものではなかった。
【０００７】
本発明は上記事情に鑑みてなされたものであり、その目的は、ドアガラスのがたつきをより確実に抑制することのできるガラスランを提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．基底部及び該基底部から延びる車内側側壁部及び車外側側壁部よりなり断面略コ字状をなす本体部と、前記両側壁部の略先端から前記本体部内側に延びる車内側シールリップ及び車外側シールリップとを有し、
前記本体部が、車両のガラス開口部に沿って設けられた取付部の内周に取着されてなるガラスランであって、
少なくともドアガラスの縦辺部に対応する部位の前記車内側側壁部には、前記本体部の内側に向けて前記ガラス開口部内周側に傾斜して直線状に延び、先端部において前記車内側シールリップのドアガラス摺接面とは反対側の面と接触可能に設けられたサブリップが設けられ、
前記サブリップは発泡材により構成され、押出成形により前記車内側側壁部と同時形成されることを特徴とするガラスラン。
【００１０】
手段１によれば、車内側側壁部から本体部の内側に向けて傾斜して直線状に延び、先端部において車内側シールリップのドアガラス摺接面とは反対側の面（車内側シールリップの裏面）と接触可能なサブリップが設けられている。このため、ドアガラスが車内側に変位しようとした場合、車内側シールリップ及びサブリップがともに撓みつつ、協働してドアガラスを押返すようにして支持することとなる。従って、ドアガラスのがたつきを抑制することができる。
【００１１】
また、発泡材はソリッド材や微発泡材に比べて塑性変形しにくい。このため、本手段のように、サブリップを発泡材により構成することで、例えば、サブリップが車内側シールリップを介してドアガラスから比較的大きな応力を受け、車内側に大きく撓んだとしても、永久変形してしまう（ドアガラスからの応力が除かれた後においても完全には元の形状に戻らなくなってしまう）といったおそれを抑制することができる。従って、サブリップと車内側シールリップとが協働してドアガラスを支持するという作用効果を永きにわたってより確実に奏せしめることができる。
【００１２】
尚、ドアガラスの本体部内側への挿入時において、サブリップの先端部は、車内側シールリップの先端部分（先端部付近）と接触するのが望ましい。この場合、サブリップによって、車内側に撓む車内側シールリップを支持し、車内側シールリップと協働してドアガラスの変位を抑制するといった効果がより確実に奏される。さらには、サブリップの先端部と車内側シールリップの先端部分とが接触するよう設定することで、車内側シールリップがサブリップの反力に乗じて正規の位置に戻りやすい。また、ガラスランのうちドアガラスの上辺部に対応する部位の車内側側壁部についてもサブリップを具備することとしてもよい。さらに、車外側側壁部にも、本体部内側に向けてガラス開口部内周側に傾斜して直線状に延びるサブリップを設けてもよい。但し、通常は、フラッシュサーフィス化の要望から、ドアガラスの正規の位置が車外側にオフセットされているので、車外側のサブリップは特に設けなくてもよい。
【００１３】
手段２．前記車内側側壁部は、ソリッド材又は微発泡材により構成されることを特徴とする手段１に記載のガラスラン。
【００１４】
手段２によれば、ガラスランの剛性を確保することができる。
【００１５】
手段３．前記車内側側壁部をオレフィン系熱可塑性エラストマーにより構成し、かつ、前記サブリップを動的架橋型のオレフィン系熱可塑性エラストマーにより構成するか、
又は、
前記車内側側壁部及び前記サブリップをオレフィン系ゴムにより構成することを特徴とする手段１又は２に記載のガラスラン。
【００１６】
手段３によれば、動的架橋型のオレフィン系熱可塑性エラストマー（ＴＰＶ）又はオレフィン系ゴム（例えばＥＰＤＭ）によってサブリップを構成することで、例えば、サブリップを非架橋型のＴＰＯにより構成する場合に比べ、サブリップの塑性変形をより抑制しつつ、サブリップによって車内側に撓んだ車内側シールリップを支持するといった作用効果がより確実に奏される。
【００１７】
また、車内側側壁部及びサブリップをともにオレフィン系熱可塑性エラストマーにより構成するか、車内側側壁部及びサブリップをともにオレフィン系ゴムにより構成することで、車内側側壁部とサブリップとを強固に接合（熱接合）することができる。
【発明を実施するための最良の形態】
【００１８】
以下に、一実施形態について図面を参照しつつ説明する。図１はドアの概略構成を示す正面模式図である。図２はガラスランの構成を示す図１のＪ−Ｊ線断面図である。
【００１９】
図１に示すように、自動車用ドア（図ではフロントドア：以下、ドアＤＦと称する）のガラス開口部Ｗの外周に対応してガラスラン１が取付けられている。ガラスラン１は、その長手方向にみて上辺部に対応する押出成形部２、前後の縦辺部に対応する押出成形部３，４と、２つの押出成形部２，３及び２，４の端部同士を接続する型成形部５，６（図１で散点模様を付した部分）とに区別される。各押出成形部２〜４は、図示しない押出成形機によりほぼ直線状に（長尺状に）形成される。型成形部５，６は、２つの押出成形部２，３及び２，４が所定の角度をなした状態で相互に接続されるように図示しない金型装置にて接続成形される。
【００２０】
図２に示すように、ドアＤＦは、アウターパネル５１及びインナーパネル５２と、当該パネル５１，５２に取付けられたモール部材５３とを備えている。より詳しくは、アウターパネル５１及びインナーパネル５２の端部をそれぞれ車外側に折曲げ、両者を重ね合わせることで形成したフランジ部５５に対して、モール部材５３がリベット５６により取付固定されている。本実施形態では、インナーパネル５２とモール部材５３とによって断面略コ字状の溝（以下、チャンネル部ＤＣと称する）が形成されている。また、チャンネル部ＤＣは、ドアＤＦの外周形状に沿うようにして形成されており、このチャンネル部ＤＣによってドアガラスＤＧが昇降して開閉されるガラス開口部Ｗが区画される。そして、チャンネル部ＤＣの内周にガラスラン１が装着されるようになっており、本実施形態では取付部を構成する。
【００２１】
また、図２に示すように、前縦辺部を構成する押出成形部３は、チャンネル部ＤＣに嵌め込まれる基底部１４及び該基底部１４から延びる車外側側壁部１５及び車内側側壁部１６よりなる断面略コ字状の本体部１１と、車外側側壁部１５及び車内側側壁部１６の略先端からそれぞれ本体部１１の内側（基底部１４側）へ延びる車外側シールリップ１２及び車内側シールリップ１３とを備えている。ガラス開口部Ｗの閉状態においては、ドアガラスＤＧとの摺接面である車外側シールリップ１２の表面（ガラス開口部Ｗ内周側の面）がドアガラスＤＧの外側面に対して圧接され、車内側シールリップ１３の表面（ガラス開口部Ｗ内周側の面）がドアガラスＤＧの内側面に対して圧接される。これにより、ドアガラスＤＧの車外側及び車内側がそれぞれシールされるようになっている。尚、押出成形部２，４、及び型成形部５，６についても、本体部１１及び一対のシールリップ１２，１３等を備えている。また、本実施形態における本体部１１及びシールリップ１２，１３は、ソリッド材としてのＥＰＤＭソリッドゴムにより構成されている。
【００２２】
尚、車外側側壁部１５は、車内側側壁部１６に比べて短く形成されるとともに、それに付随して車外側シールリップ１２も車内側シールリップ１３に比べて小さく（短く）設定されている。これにより、モール部材５３の車外側側面を小さく設定でき、見栄えが向上するとともに、ドアガラスＤＧが車外側に寄せられ、フラッシュサーフィス化が図られるようになっている。
【００２３】
また、本実施形態では、前縦辺部を構成する押出成形部３の車内側側壁部１６から、本体部１１の内側に向けてドアガラス開口部Ｗの内周側に傾斜して直線状に延びるサブリップ３１が設けられている。本実施形態では、上記のように本体部１１（車内側側壁部１６）がＥＰＤＭソリッドゴムにより構成されるのに対し、サブリップ３１は、発泡材としてのＥＰＤＭスポンジゴムにより構成されている。該サブリップ３１は、押出成形により車内側側壁部１６と同時形成される。また、押出成形部３のうち、本体部１１の内側にドアガラスＤＧが位置していない部位においては、車内側シールリップ１３の裏面とサブリップ３１の先端部とが離間しているが、本体部１１の内側にドアガラスＤＧが位置している部位においては、車内側シールリップ１３の裏面とサブリップ３１の先端部とが接触するよう構成されている。本実施形態では、サブリップ３１の先端部が、車内側シールリップ１３の裏面の先端部分と接触するよう設定されている。
【００２４】
尚、本実施形態では、本体部１１のチャンネル部ＤＣへの取付状態において、サブリップ３１の表面（基底部１４側の面）とドアガラスＤＧの内側面とのなす角度が鋭角（本例では約３５度）となるよう設定されている。但し、ここで言うサブリップ３１の延出角度は、該サブリップ３１に対して応力が作用していない状態においてのものである。さらに、サブリップ３１は、車内側シールリップ１３よりも突出長が短くなっている（本例では、車内側シールリップ１３が１５ｍｍであるのに対し、サブリップ３１が４．０ｍｍ）。また、サブリップ３１の肉厚は、車内側シールリップ１３よりも薄肉となっている（本例では、車内側シールリップ１３が２．０ｍｍであるのに対し、サブリップ３１が０．７ｍｍ）。尚、サブリップ３１の表面とドアガラスＤＧの内側面とのなす角度は２５度以上４５度以下、車内側シールリップ１３の長さは８ｍｍ以上２０ｍｍ以下、車内側シールリップ１３の肉厚は０．６ｍｍ以上２．２ｍｍ以下、サブリップ３１の長さは３．０ｍｍ以上４．５ｍｍ以下、サブリップ３１の厚みは０．４ｍｍ以上１．０ｍｍ以下とするのが好ましい。
【００２５】
また、サブリップ３１の先端部には、車内側シールリップ１３の裏面に対するサブリップ３１の摺動性を向上させるべく、表面処理が施されている。さらに、サブリップ３１の裏面（ガラス開口部Ｗ側の面）の車内側側壁部１６との境界部にはノッチ部３２が設けられている。また、車内側側壁部１６には、サブリップ３１が車内側に大きく撓んで車内側側壁部１６に寄せられた場合に、該サブリップ３１を収容可能な収容凹部３３が形成されている。上記ノッチ部３２や収容凹部３３は、押出成形時に車内側側壁部１６と同時形成される。尚、表面処理としては、サブリップ３１先端部の表面に摺動層（例えばポリエチレン樹脂層）や塗膜（例えばウレタン塗膜）を形成したり、サブリップ３１を構成する材料に摺動性を向上させるための摺動成分を配合したりすること等が挙げられる。
【００２６】
次に、車内側シールリップ１３及びサブリップ３１の変形動作について説明する。ガラス開口部Ｗを閉めるためにドアガラスＤＧを上昇させていくと、図２の二点鎖線で示すように、ドアガラスＤＧが本体部１１の内側に挿入される。このとき、ドアガラスＤＧに押されてシールリップ１２、１３が若干撓むことで、ドアガラスＤＧの外内面に対してそれぞれシールリップ１２、１３のドアガラス摺接面が圧接される。本実施形態では、ドアガラスＤＧが本体部１１の内側に挿入された場合に、サブリップ３１の先端部が車内側シールリップ１３の裏面に接触することとなる。
【００２７】
また、例えば、ドアガラスＤＧをさらに上昇させていくときにドアガラスＤＧががたつき、ドアガラスＤＧが車内側に変位した場合には、該ドアガラスＤＧに押されて車内側シールリップ１３が、車内側シールリップ１３と車内側側壁部１６との連接部を中心として、車内側側壁部１６の基端部側に傾倒するようにして変形する。さらに、当該車内側シールリップ１３の変形に連動して（車内側シールリップ１３に押されて）、直線状のサブリップ３１が、その先端部において車内側シールリップ１３の裏面と摺接しながら、サブリップ３１と車内側側壁部１６との境界部を中心として車内側側壁部１６の先端部側に傾倒するようにして変形する。
【００２８】
尚、後縦辺部を構成する押出成形部４についても押出成形部３と同様に、その車内側側壁部１６から本体部１１内側に向けてガラス開口部Ｗ側に傾斜して直線状に延び、ＥＰＤＭスポンジゴムよりなるサブリップ３１が設けられている。
【００２９】
以上詳述したように、本実施形態では、車内側側壁部１６から本体部１１の内側に向けて延び、先端部において車内側シールリップ１３の先端部分の裏面と接触可能なサブリップ３１が設けられている。このため、ドアガラスＤＧが車内側に変位しようとした場合、車内側シールリップ１３及びサブリップ３１がともに撓みつつ、協働してドアガラスＤＧを押返すようにして支持することとなる。従って、ドアガラスＤＧのがたつきを抑制することができる。さらには、サブリップ３１の先端部と車内側シールリップ１３の先端部分とが接触するよう設定されているため、車内側シールリップ１３がサブリップ３１の反力に乗じて正規の位置に戻りやすい。
【００３０】
また、ＥＰＤＭスポンジゴムは、ＥＰＤＭソリッドゴムに比べて、気泡の存在により塑性変形しにくい。このため、本実施形態のように、サブリップ３１をＥＰＤＭスポンジゴムにより構成することで、サブリップ３１が車内側シールリップ１３を介してドアガラスＤＧから比較的大きな応力を受け、車内側に大きく撓んだとしても、該サブリップ３１が永久変形してしまう（ドアガラスＤＧからの応力を除いた後も元の形状に戻らなくなってしまう）といったおそれを抑制することができる。従って、サブリップ３１と車内側シールリップ１３とが協働してドアガラスＤＧを支持するという作用効果を永きにわたってより確実に奏せしめることができる。
【００３１】
一方、本体部１１（車内側側壁部１６）は、ＥＰＤＭソリッドゴムにより構成されている。このため、ガラスラン１の剛性を確保することができる。
【００３２】
また、サブリップ３１がＥＰＤＭにより構成されることで、例えば、サブリップをＴＰＯにより構成する場合に比べ、サブリップ３１の塑性変形をより抑制しつつ、サブリップ３１によって車内側に撓んだ車内側シールリップ１３を支持するといった作用効果がより確実に奏される。加えて、車内側側壁部１６及びサブリップ３１がともにＥＰＤＭにより構成されているため、車内側側壁部１６とサブリップ３１とを強固に接合（熱接合）することができる。
【００３３】
加えて、サブリップ３１が発泡材（ＥＰＤＭスポンジゴム）により構成されているため、サブリップ３１が車内側側壁部１６に圧接された場合に、サブリップ３１自体が圧縮されるようにして（車内側シールリップ１３との接触部位が車内側に凹むようにして）形状変化する。このため、その分だけドアガラスＤＧのがたつきを吸収することができる。また、サブリップ３１（サブリップ３１の基底部１４側の面）の車内側への変形量をより大きくすることができる。
【００３４】
尚、上記実施形態の記載内容に限定されず、例えば次のように実施してもよい。勿論、以下において例示しない他の応用例、変更例も当然可能である。
【００３５】
（ａ）上記実施形態では、インナーパネル５２とモール部材５３とで構成されるチャンネル部ＤＣに取付けられるタイプのガラスラン１に対してサブリップ３１を設けているが、特にこのような構成に限定されるものではない。例えば、図３に示すようなサッシュドアタイプのドアの断面略コ字状のチャンネル部ＤＣに取付けられるガラスランにサブリップ３１を設けてもよいし、図４に示すようなプレスドアタイプのドアの断面略コ字状のチャンネル部ＤＣに取付けられるガラスランにサブリップ３１を設けてもよい。
【００３６】
（ｂ）また、ガラスラン１のうちドアガラスＤＧの上辺部に対応する部位（押出成形部２）の車内側側壁部１６に対してサブリップ３１を設けることとしてもよい。さらに、車外側側壁部１５にも、本体部１１内側に向けてガラス開口部Ｗ内周側に傾斜して直線状に延びるサブリップを設けてもよい。
【００３７】
（ｃ）上記実施形態では、発泡材としてＥＰＤＭのスポンジ材を採用しているが、他の発泡材を採用してもよい。他の素材としては、例えば、動的架橋型のオレフィン系熱可塑性エラストマー（ＴＰＶ）が挙げられる。この場合においても、例えば、サブリップを非架橋型のＴＰＯにより構成する場合に比べ、サブリップの弾性を強めることができる。また、このように、発泡材としてＴＰＶを採用する場合には、ソリッド材として、例えば、ＴＰＶ、非架橋型のオレフィン系熱可塑性エラストマー（ＴＰＯ）を採用することが望ましい。この場合、車内側側壁部１６及びサブリップ３１がともにオレフィン系エラストマーにより構成されるため、車内側側壁部１６とサブリップ３１とを強固に接合（熱接合）することができる。
【００３８】
（ｄ）上記実施形態におけるノッチ部３２の形状は特に限定されるものではなく、サブリップ３１が傾倒するようにして変形しやすいようになっていればよい。また、ノッチ部３２を省略してもよい。
【００３９】
（ｅ）上記実施形態における収容凹部３３を省略してもよい。特に、本体部１１の内側の幅が、ドアガラスＤＧの厚みよりもかなり大きく設定されている場合、例えば、図４に示すように、車内側側壁部１６のうち少なくともサブリップ３１が接触し得る部位が車内側に傾斜しており、当該部位とサブリップ３１との間に隙間が大きく形成されている場合には、サブリップ３１の車内側側壁部１６と接触するまでの変形量が大きくなるため、収容凹部３３がなくても上記実施形態と同様の作用効果が奏される。
【図面の簡単な説明】
【００４０】
【図１】ドアの概略構成を示す正面模式図である。
【図２】ガラスランを示す図１のＪ−Ｊ線断面図である。
【図３】別の実施形態におけるガラスランを示す断面図である。
【図４】別の実施形態におけるガラスランを示す断面図である。
【符号の説明】
【００４１】
１…ガラスラン、２，３，４…押出成形部、５，６…型成形部、１１…本体部、１２…車外側シールリップ、１３…車内側シールリップ、１４…基底部、１５…車外側側壁部、１６…車内側側壁部、３１…サブリップ、３２…ノッチ部、３３…収容凹部、ＤＧ…ドアガラス、ＤＣ…チャンネル部、Ｗ…ガラス開口部。
【図１】
2007296899.tif 000003
【図２】
2007296899.tif 000004
【図３】
2007296899.tif 000005
【図４】
2007296899.tif 000006